(57)【要約】【課題】挿入口を上方向に向けることが可能で着脱が容易なつまみ用指サックを提供することを目的とする。【解決手段】つまみ用指サック１を、弾性を有するシリコーンゴムで形成して、三つの指サック部３と、各指サック部３を連結する連結板部４と、で構成する。各指サック部３を、一端に指を挿入できる挿入口２を有し、かつ、挿入口２から下端部５側に向かって三角錐状で挿入された指の屈曲に応じて屈曲可能に形成する。各指サック部３の下端部５と指サック部３の挿入口２で形成される面とを結ぶ垂線の長さが同一となるように形成する。連結板部４を略三角形状かつ平板状で各指サック部３に挿入された指の屈曲に応じて屈曲可能に形成する。指サック部３の挿入口２を上に向け指サック部３の下端部５を設置面７に当接させて不倒状態で設置する。【選択図】図１
0003159798.tif 000002
【実用新案登録請求の範囲】
【請求項１】
エラストマーで形成されて弾性を有するつまみ用指サックであって、
一端に指を挿入できる挿入口を有する少なくとも三つの指サック部と、各該指サック部の挿入口側で各該指サック部を連結する連結板部と、を有し、
各該指サック部の挿入口を上方向に向けて、各該指サック部の他端部を設置面に当接させて不倒状態で設置可能であることを特徴とするつまみ用指サック。
【請求項２】
各該指サック部は、それぞれ該指サック部の挿入口から該指サック部の他端部側に向かって角錘状又は円錐状に形成され、それぞれ該指サック部の他端部と該指サック部の挿入口で形成される面とを結ぶ垂線の長さが同一となるように形成されていることを特徴とする請求項１記載のつまみ用指サック。
【請求項３】
該指サック部が、該指サック部の挿入口方向から見て各該指サック部の他端部を結んだ線が三角形状又は四角形状又は五角形状となるように配設されていることを特徴とする請求項１又は２記載のつまみ用指サック。
【請求項４】
各該指サック部の少なくともつまみ対象物が当接する部分に滑り止め部が設けられていることを特徴とする請求項１、２又は３記載のつまみ用指サック。
【考案の詳細な説明】
【技術分野】
【０００１】
本考案は、着脱が容易なつまみ用指サックに関する。
【背景技術】
【０００２】
スナック菓子等を手で摘む際に、指先を油、カス等の汚れから保護するものとして、挿入口を対向させた大小二つの指サックを蝶番機能を持った帯状の部材の両端部で連結して形成されるチップス・ピッカー（スナックフード用の指先汚れ防止サック）が特許文献１で知られている。これによると、大きい指サックに人差し指と中指を挿入し、小さい指サックに親指を挿入することでチップス・ピッカーを装着してスナックフードを摘み、スナックフードの油分の汚れが指先に付着するのを防止するというものであった。
【先行技術文献】
【特許文献】
【０００３】
【特許文献１】特開２００２−２０９９３３号公報
【考案の概要】
【考案が解決しようとする課題】
【０００４】
しかし、上記に示す特許文献１のチップス・ピッカーは蝶番機能を持った部材を伸ばした状態でテーブル等に置いておくと、指サックの挿入口が対向するとともにテーブルの面から低くかつ平行となり、指を挿入しづらかった。また、蝶番機能を持った部材を折り曲げた状態でも、使用する素材が適度な張り（弾性）を有するため、蝶番機能を持った部材が伸ばした状態に戻ろうとするため設置状態が不安定であった。
【０００５】
したがって、特許文献１のチップス・ピッカーでは、挿入口を上方向に向けることが困難で、片手で瞬時に装着することできないという問題があった。
【０００６】
本考案は、上記事情に鑑み、挿入口を上方向に向けることが可能で着脱が容易なつまみ用指サックを提供することを目的とする。
【課題を解決するための手段】
【０００７】
請求項１記載の考案は、エラストマーで形成されて弾性を有するつまみ用指サックであって、
一端に指を挿入できる挿入口を有する少なくとも三つの指サック部と、各該指サック部の挿入口側で各該指サック部を連結する連結板部と、を有し、
各該指サック部の挿入口を上方向に向けて、各該指サック部の他端部を設置面に当接させて不倒状態で設置可能であることを特徴とする。
【０００８】
請求項２記載の考案は、各該指サック部は、それぞれ該指サック部の挿入口から該指サック部の他端部側に向かって角錘状又は円錐状に形成され、それぞれ該指サック部の他端部と該指サック部の挿入口で形成される面とを結ぶ垂線の長さが同一となるように形成されていることを特徴とする。
【０００９】
請求項３記載の考案は、該指サック部が、該指サック部の挿入口方向から見て各該指サック部の他端部を結んだ線が三角形状又は四角形状又は五角形状となるように配設されていることを特徴とする。
【００１０】
請求項４記載の考案は、各該指サック部の少なくともつまみ対象物が当接する部分に滑り止め部が設けられていることを特徴とする。
【考案の効果】
【００１１】
請求項１記載の考案では、少なくとも三つの指サック部を、各指サック部の挿入口側で、連結板部によって連結している。そして、各指サック部の挿入口を上方向に向けて、各指サック部の他端部を設置面に当接させて不倒状態で設置可能である。これにより、設置面、例えば、テーブル上でつまみ用指サックの形態が安定するため、挿入口を上方向に向けることが容易で、片手で瞬時に装着することができる。
【００１２】
請求項２記載の考案では、各該指サック部を、それぞれ該指サック部の挿入口から該指サック部の他端部側に向かって角錘状又は円錐状に形成して、それぞれ該指サック部の他端部と該指サック部の挿入口で形成される面とを結ぶ垂線の長さが同一となるように形成している。これにより、設置状態が安定するとともに、挿入口を垂直に向けることができるので、つまみ用指サックの装着が容易となる。また、該指サック部の他端部が設置面と点接触となるため、例えば、スナック菓子を摘んで該指サック部に汚れが付着していても、設置面が汚れにくくなる。
【００１３】
請求項３記載の考案では、指サック部を挿入口方向から見て各該指サック部の他端部を結んだ線が三角形状又は四角形状又は五角形状となるように配設している。これにより、例えば、三本の指で摘む時は、三角形状のつまみ用指サック、四本の指で摘むときは四角形状のつまみ用指サックと、言うように、スナック菓子を摘む指に応じてつまみ用指サックを選択することができるので、スナック菓子の形状、量に応じたつまみ用指サックを使用することができる。
【００１４】
請求項４記載の考案では、各指サック部の少なくともつまみ対象物が当接する部分に滑り止め部を設けることで、つまみ対象物を摘むときの摩擦が大きくなるので、つまみ対象物を落とさずに食べることができる。
【図面の簡単な説明】
【００１５】
【図１】本考案の第１の実施形態のつまみ用指サックを設置面に設置した状態の斜視図である。
【図２】本考案の第１の実施形態のつまみ用指サックを設置面側から見た斜視図である。
【図３】本考案の第１の実施形態のつまみ用指サックの平面図である。
【図４】本考案の第１の実施形態のつまみ用指サックの側面図である。
【図５】本考案の第１の実施形態のつまみ用指サックを使用した状態図である。
【図６】本考案の第２の実施形態のつまみ用指サックの斜視図である。
【図７】本考案の第２の実施形態のつまみ用指サックの平面図である。
【図８】本考案の第３の実施形態のつまみ用指サックの斜視図である。
【図９】本考案の第３の実施形態のつまみ用指サックの平面図である。
【図１０】本考案の第４の実施形態のつまみ用指サックの斜視図である。
【図１１】本考案の第４の実施形態のつまみ用指サックの平面図である。
【図１２】本考案の第５の実施形態のつまみ用指サックの斜視図である。
【図１３】本考案の第６の実施形態のつまみ用指サックの斜視図である。
【図１４】本考案の第６の実施形態のつまみ用指サックの平面図である。
【考案を実施するための形態】
【００１６】
以下に、本考案の第１の実施形態を図面に基づいて説明する。以下の説明では、後述する指サック部３の挿入口２側を上とし、その反対側を下とする。
【００１７】
つまみ用指サック１は、図１に示すように、弾性を有するシリコーンゴムで形成され、三つの指サック部３と、各指サック部３を連結する連結板部４と、を備えて構成されている。
【００１８】
各指サック部３は、図１、３に示すように、それぞれ一端に指を挿入できる挿入口２を有して、挿入口２から下端部（他端部）５側に向かって三角錐状で、挿入された指の屈曲に応じて屈曲可能に形成されている。図４に示すように、それぞれ指サック部３の下端部５と指サック部３の挿入口２で形成される面とを結ぶ垂線の長さが同一となるように形成されている。各指サック部３は、平面視において、図３に示すように、各下端部５を結んだ線が三角形状となるように配置されている。図２、４に示すように、各指サック部３の内側を向いた側面が、つまみ対象物、ここでは、スナック菓子を摘む時にスナック菓子と当接する部分を含むつまみ面３１となり、つまみ面３１の全面には、シボ加工によって形成された滑り止め６が設けられている。
【００１９】
連結板部４は、図１、３に示すように、略三角形状かつ平板状で各指サック部３に挿入された指の屈曲に応じて屈曲可能に形成され、指サック部３の挿入口２の各中央側縁部２１と連接されている。
【００２０】
つまみ用指サック１は、図１に示すように、指サック部３の挿入口２を上に向け、指サック部３の下端部５を設置面７に当接させ不倒状態で設置する。そして、図５に示すように、三本の指をそれぞれ各挿入口２に挿入してスナック菓子を摘んで使用する。
【００２１】
本考案の第１の実施形態のつまみ用指サック１では、少なくとも三つの指サック部３を、各指サック部３の挿入口２の各中央側縁部２１で、連結板部４によって連結している。そして、指サック部３の挿入口２を上に向け指サック部３の下端部５を設置面７に当接させて不倒状態で設置可能である。これにより、設置面７上でつまみ用指サック１の形態が安定するため、挿入口２を上方向に向けることが容易で、片手で瞬時に装着することができる。
【００２２】
また、各指サック部３の挿入口２から下端部５までの長さを同一にして挿入口２から下端部５側に向かって三角錐状に形成している。これにより、設置状態が安定するとともに、挿入口２を垂直に向けることができるので、さらに、つまみ用指サック１の装着が容易となる。また、指サック部３の下端部５が設置面７と点接触となるため、例えば、スナック菓子を摘んで指サック部３に汚れが付着していても、設置面７が汚れにくくなる。
【００２３】
また、指サック部３を挿入口２方向から見て下端部５を結んだ線が三角形状となるように配設している。これにより、三本の指でスナック菓子を摘む時には、つまみ用指サック１を選択することができるので、スナック菓子の形状、量に応じたつまみ用指サックを使用することができる。
【００２４】
また、各指サック部３のつまみ面３１に滑り止め６を設けることで、スナック菓子を摘むときの摩擦が大きくなるので、スナック菓子を落とさずに食べることができる。
【００２５】
本考案の第２の実施形態を図面に基づいて説明する。
【００２６】
つまみ用指サック１Ａは、図６、７に示すように、弾性を有するシリコーンゴムで形成され、三つの指サック部３Ａと、各指サック部３Ａを連結する連結板部４Ａと、を備えて構成されている。
【００２７】
各指サック部３Ａは、図６に示すように、それぞれ一端に指を挿入できる挿入口２Ａを有して、挿入口２Ａから下端部５Ａ側に向かって三角錐状で、挿入された指の屈曲に応じて屈曲可能に形成されている。各指サック部３Ａは、第１の実施形態のつまみ用指サック１と同様に、それぞれ指サック部３Ａの下端部５Ａと指サック部３Ａの挿入口２Ａで形成される面とを結ぶ垂線の長さが同一となるように形成されている。各指サック部３Ａは、図７に示すように、平面視におけるつまみ用指サック１Ａの中心側に、各指サック部３Ａの挿入口２Ａの一頂点（以下、「中央側頂点８Ａ」という。）が配置されている。各指サック部３Ａは、平面視において各指サック部３Ａの各下端部５Ａを結んだ線が三角形状となるように配置されている。各指サック部３Ａは、図６に示すように、各指サック部３Ａの挿入口２Ａの各中央側頂点８Ａから下端部５Ａを結ぶ稜線部９Ａが形成されている。稜線部９Ａを挟み、スナック菓子を摘む時にスナック菓子と当接する部分を含む各指サック部３Ａの二つの側面全域には、シボ加工によって形成された滑り止め６Ａが設けられている。
【００２８】
連結板部４Ａは、図６、７に示すように、平板状で各指サック部３Ａに挿入された指の屈曲に応じて屈曲可能に形成されている。連結板部４Ａは、各指サック部３Ａの挿入口２Ａの各中央側頂点８Ａと、指サック部３Ａの挿入口２Ａの各中央側頂点８Ａを挟む二辺の各中央部１０Ａ、１０Ａと、で結ばれた部分である、挿入口２Ａの各中央側縁部２１Ａと連接されている。連結板部４Ａは、隣接する指サック部３Ａの各中央部１０Ａ、１０Ａ間を、平面視におけるつまみ用指サック１Ａの中心側に凹んだ円弧状に結んで形成されている。
【００２９】
本考案の第２の実施形態のつまみ用指サック１Ａでは、片手で瞬時に装着することができ、設置面７が汚れにくくなる。スナック菓子の形状、量に応じたつまみ用指サックを使用することができ、スナック菓子を落とさずに食べることができる。と、いった効果を奏する。
【００３０】
上述した効果に加えて、連結板部４Ａを、各指サック部３Ａの挿入口２Ａの各中央側頂点８Ａと、指サック部３Ａの挿入口２Ａの各中央側頂点８Ａを挟む二辺の各中央部１０Ａ、１０Ａと、で結ばれた挿入口２Ａの各中央側縁部２１Ａと連接させ、かつ、隣接する指サック部３Ａの各中央部１０Ａ、１０Ａ間を、平面視におけるつまみ用指サック１Ａの中心側に凹んだ円弧状に結んで平板状に形成している。これにより、連結板部４Ａの面積が小さくなり連結板部４Ａが屈曲しやすくなるので、スナック菓子等をさらに摘みやすくすることができる。
【００３１】
本考案の第３の実施形態を図面に基づいて説明する。
【００３２】
つまみ用指サック１Ｂは、図８、９に示すように、弾性を有するシリコーンゴムで形成され、四つの指サック部３Ｂと、各指サック部３Ｂを連結する連結板部４Ｂと、を備えて構成されている。
【００３３】
各指サック部３Ｂは、図８に示すように、それぞれ一端に指を挿入できる挿入口２Ｂを有して、挿入口２Ｂから下端部５Ｂ側に向かって三角錐状で屈曲可能に形成されている。各指サック部３Ｂは、第１の実施形態のつまみ用指サック１と同様に、それぞれ指サック部３Ｂの下端部５Ｂと指サック部３Ｂの挿入口２Ｂで形成される面とを結ぶ垂線の長さが同一となるように形成されている。各指サック部３Ｂは、図９に示すように、平面視におけるつまみ用指サック１Ｂの中心側に、各指サック部３Ｂの挿入口２Ｂの一頂点（以下、「中央側頂点８Ｂ」という。）が配置されている。各指サック部３Ｂは、平面視において各指サック部３Ｂの各下端部５Ｂを結んだ線が四角形状となるように配置されている。各指サック部３Ｂは、図９に示すように、各指サック部３Ｂの挿入口２Ｂの各中央側頂点８Ｂから下端部５Ｂを結ぶ稜線部９Ｂが形成されている。稜線部９Ｂを挟みスナック菓子を摘む時にスナック菓子と当接する部分を含む各指サック部３Ｂの二つの側面全域には、シボ加工によって形成された滑り止め６Ｂが設けられている。
【００３４】
連結板部４Ｂは、図８、９に示すように、平板状で各指サック部３Ｂに挿入された指の屈曲に応じて屈曲可能に形成されている。連結板部４Ｂは、各指サック部３Ｂの挿入口２Ｂの各中央側頂点８Ｂと、指サック部３Ｂの挿入口２Ｂの各中央側頂点８Ｂを挟む二辺の各中央部１０Ｂ、１０Ｂと、で結ばれた部分である、挿入口２Ｂの各中央側縁部２１Ｂと連接されている。連結板部４Ｂは、隣接する指サック部３Ｂの各中央部１０Ｂ、１０Ｂ間を、平面視におけるつまみ用指サック１Ｂの中心側に凹んだ円弧状に結んで略十字状に形成されている。
【００３５】
本考案の第３の実施形態のつまみ用指サック１Ｂでは、片手で瞬時に装着することができ、設置面７が汚れにくくなる、スナック菓子を落とさずに食べることができる。と、いった効果を奏する。
【００３６】
上述した効果に加えて、連結板部４Ｂを、各指サック部３Ｂの挿入口２Ｂの各中央側頂点８Ｂと、指サック部３Ｂの挿入口２Ｂの各中央側頂点８Ｂを挟む二辺の各中央部１０Ｂ、１０Ｂと、で結ばれた挿入口２Ｂの各中央側縁部２１Ｂと連接させ、かつ、隣接する指サック部３Ｂの各中央部１０Ｂ、１０Ｂ間を、平面視におけるつまみ用指サック１Ｂの中心側に凹んだ円弧状に結んで平板状で略十字状に形成している。これにより、本考案の第１の実施形態のつまみ用指サック１の効果に加え、連結板部４Ｂの面積が小さくなり連結板部４Ｂが屈曲しやすくなるので、スナック菓子等をさらに摘みやすくすることができる。
【００３７】
また、各指サック部３Ｂを、平面視において各指サック部３Ｂの各下端部５Ｂを結んだ線が四角形状となるように配置している。している。これにより、四本の指でスナック菓子を摘む時には、つまみ用指サック１Ｂを選択することができるので、スナック菓子の形状、量に応じたつまみ用指サックを使用することができる。
【００３８】
本考案の第４の実施形態を図面に基づいて説明する。
【００３９】
つまみ用指サック１Ｃは、図１０に示すように、弾性を有するシリコーンゴムで形成され、三つの指サック部３Ｃと、各指サック部３Ｃを連結する連結板部４Ｃと、を備えて構成されている。
【００４０】
各指サック部３Ｃは、図１０、１１に示すように、それぞれ一端に指を挿入できる挿入口２Ｃを有して、挿入口２Ｃから下端部５Ｃ側に向かって円筒状で、下端部５Ｃが、半球状に形成され、挿入された指の屈曲に応じて屈曲可能に形成されている。各指サック部３Ｃは、第１の実施形態のつまみ用指サック１と同様に、それぞれ指サック部３Ｃの下端部５Ｃと指サック部３Ｃの挿入口２Ｃで形成される面とを結ぶ垂線の長さが同一となるように形成されている。各指サック部３Ｃは、平面視において、図１１に示すように、各下端部５Ｃを結んだ線が三角形状となるように配置されている。
【００４１】
連結板部４Ｃは、図１０、１１に示すように、略三角形状かつ平板状で各指サック部３Ｃに挿入された指の屈曲に応じて屈曲可能に形成され、指サック部３Ｃの挿入口２の開口縁部２１Ｃと連接されている。
【００４２】
本考案の第４の実施形態のつまみ用指サック１Ｃでは、片手で瞬時に装着することができ、スナック菓子の形状、量に応じたつまみ用指サックを使用することができる。と、いった効果を奏する。
【００４３】
上述した効果に加えて、各指サック部３Ｃを、一端に指を挿入できる挿入口２Ｃを有して、挿入口２Ｃから下端部５Ｃ側に向かって円筒状で、下端部５Ｃが、半球状に形成されて、挿入された指の屈曲に応じて屈曲可能に形成している。これにより、各指サック部３Ｃは、指に近い形状となるため指にフィットし易くなる。また、下端部５Ｃと設置面７との設置面積が大きくなるので設置状態が安定する。
【００４４】
本考案の第５の実施形態を図面に基づいて説明する。以下の説明以外の構成は第４の実施形態と、同様のものとする。
【００４５】
つまみ用指サック１Ｄの各指サック部３Ｄは、図１２に示すように、それぞれ一端に指を挿入できる挿入口２Ｄを有して、挿入口２Ｄから下端部５Ｄ側に向かって円錐状で、挿入された指の屈曲に応じて屈曲可能に形成されている。各指サック部３Ｄは、第１の実施形態のつまみ用指サック１と同様に、それぞれ指サック部３Ｄの下端部５Ｄと指サック部３Ｄの挿入口２Ｄで形成される面とを結ぶ垂線の長さが同一となるように形成されている。各指サック部３Ｄは、平面視において各下端部５Ｄを結んだ線が三角形状となるように配置されている。
【００４６】
本考案の第５の実施形態のつまみ用指サック１Ｄでは、片手で瞬時に装着することができ、設置面７が汚れにくくなる。スナック菓子の形状、量に応じたつまみ用指サックを使用することができる。と、いった効果を奏する。
【００４７】
本考案の第６の実施形態を図面に基づいて説明する。
【００４８】
つまみ用指サック１Ｅは、図１３に示すように、弾性を有するシリコーンゴムで形成され、五つの指サック部３Ｅと、各指サック部３Ｅを連結する連結板部４Ｅと、を備えて構成されている。
【００４９】
各指サック部３Ｅは、図１３、１４に示すように、それぞれ一端に指を挿入できる挿入口２Ｅを有して、挿入口２Ｅから下端部５Ｅ側に向かって三角錐状で、挿入された指の屈曲に応じて屈曲可能に形成されている。各指サック部３Ｅは、第１の実施形態のつまみ用指サック１と同様に、それぞれ指サック部３Ｅの下端部５Ｅと指サック部３Ｅの挿入口２Ｅで形成される面とを結ぶ垂線の長さが同一となるように形成されている。各指サック部３Ｅは、図１４に示すように、平面視におけるつまみ用指サック１Ｅの中心側に、各指サック部３Ｅの挿入口２Ｅの一頂点（以下、「中央側頂点８Ｅ」という。）が配置されている。各指サック部３Ｅは、平面視において各指サック部３Ｅの各下端部５Ｅを結んだ線が五角形状となるように配置されている。各指サック部３Ｅは、図１３に示すように、各指サック部３Ｅの挿入口２Ｅの各中央側頂点８Ｅから下端部５Ｅを結ぶ稜線部９Ｅが形成されている。
【００５０】
連結板部４Ｅは、図１３、１４に示すように、平板状で各指サック部３Ｅに挿入された指の屈曲に応じて屈曲可能に形成されている。連結板部４Ｅは、各指サック部３Ｅの挿入口２Ｅの各中央側頂点８Ｅと、指サック部３Ｅの挿入口２Ｅの各中央側頂点８Ｅを挟む二辺の各中央部１０Ｅ、１０Ｅと、で結ばれた部分である、挿入口２Ｅの各中央側縁部２１Ｅと連接されている。連結板部４Ｅは、隣接する指サック部３Ｅの各中央部１０Ｅ、１０Ｅ間を、平面視におけるつまみ用指サック１Ｅの中心側に凹んだ円弧状に結んで形成されている。
【００５１】
本考案の第６の実施形態のつまみ用指サック１Ｅでは、片手で瞬時に装着することができ、設置面７が汚れにくくなる。スナック菓子の形状、量に応じたつまみ用指サックを使用することができる。と、いった効果を奏する。
【００５２】
上述した効果に加えて、各指サック部３Ｅを、平面視において各指サック部３Ｅの各下端部５Ｅを結んだ線が五角形状となるように配置している。これにより、五本の指でスナック菓子を摘む時には、つまみ用指サック１Ｅを選択することができるので、スナック菓子の形状、量に応じたつまみ用指サックを使用することができる。
【００５３】
いずれの実施形態においても、使用する素材として、シリコーンゴムを用いているが、他の素材を用いることができる。例えば、水分や油分を透過しないエラストマー（合成ゴム、弾性プラスチック等、特に塩化ビニル、ＰＶＣ、ＰＰＯ。）を用いることができる。
【００５４】
また、指サック部の形状は、挿入口から下端部側に向かう四角錐状等の多角形状にしてもよい。
【００５５】
また、滑り止めは、全ての既存のものを用いることができ、指サック部の内面の、指が当接する部分に施してもよい。
【符号の説明】
【００５６】
１、１Ａ、１Ｂ、１Ｃ、１Ｄ、１Ｅ  つまみ用指サック
２、２Ａ、２Ｂ、２Ｃ、２Ｄ、２Ｅ  挿入口
３、３Ａ、３Ｂ、３Ｃ、３Ｄ、３Ｅ  指サック部
３１  つまみ面
４、４Ａ、４Ｂ、４Ｃ、４Ｅ  連結板部
５、５Ａ、５Ｂ、５Ｃ、５Ｄ、５Ｅ  下端部（他端部）
６、６Ａ、６Ｂ  滑り止め
７  設置面
【図１】
0003159798.tif 000003
【図２】
0003159798.tif 000004
【図３】
0003159798.tif 000005
【図４】
0003159798.tif 000006
【図５】
0003159798.tif 000007
【図６】
0003159798.tif 000008
【図７】
0003159798.tif 000009
【図８】
0003159798.tif 000010
【図９】
0003159798.tif 000011
【図１０】
0003159798.tif 000012
【図１１】
0003159798.tif 000013
【図１２】
0003159798.tif 000014
【図１３】
0003159798.tif 000015
【図１４】
0003159798.tif 000016